(57)【要約】      （修正有）【課題】微量混合・注入用として使用可能な、流路全体が長い二液混合型注入機を提供する。【解決手段】一対の縦型スクリューポンプ４、４ａをヘッド部５の挿入孔１０、１０ａに挿設し、縦型スクリューポンプ４、４ａの側面に一対の取付腕杆８、８ａを固設し、該取付腕杆の先端上面に穿設した取付孔９、９ａに一対の薬液容器２、２ａを着脱可能に装着し、ヘッド部５の下部にミキシングノズル３を着脱可能に装着し、ヘッド部５に、縦型スクリューポンプ４、４ａからの薬液Ａ、Ｂをミキシングノズル３内に送る流路１２、１２ａを穿設する。薬液容器２、２ａ内の薬液Ａ、Ｂが取付腕杆８、８ａ内の直線状の送給路７、７ａを通って縦型スクリューポンプ４、４ａ内に供給され、該縦型スクリューポンプ４、４ａよりヘッド部５内の流路１２、１２ａを通ってミキシングノズル３内に供給されることで、短めで圧力損失の無い薬液流路が形成可能になる。【選択図】図２
0003183377.tif 000002
【実用新案登録請求の範囲】
【請求項１】
一対の縦型スクリューポンプの先端をヘッド部の上面に開口形成した挿入孔に挿設し、前記一対の縦型スクリューポンプの側部に供給路を開口形成し、該供給路に連通する送給路が穿設された一対の取付腕杆の基端部を前記一対の縦型スクリューポンプの側面に固設し、前記一対の取付腕杆の先端上面に、前記送給路に連通する取付孔を穿設し、該取付孔に２種類の薬液が別々に充填された一対の薬液容器を着脱可能に装着し、前記ヘッド部の下部にミキシングノズルを着脱可能に装着し、前記ヘッド部に、前記一対の縦型スクリューポンプからの薬液を前記ミキシングノズル内に送る流路を穿設したことを特徴とする微量用二液混合型注入機。
【考案の詳細な説明】
【技術分野】
【０００１】
本考案は、注型、成形、塗装等において２種類の微量の薬液を混合して吐出する微量用二液混合型注入機に関する。
【背景技術】
【０００２】
従来、本願出願人は、注入機の基体にスタティックミキサの装着部を設け、ミキシングヘッドを有する一対の流路形成体を基体に移動自在に装着し、又装着部にミキシングヘッドを進退させる進退機構部を設け、基体に進退自在に装着した一対の流路形成体は装着部に対向状態で装着し、ミキシングヘッドは先端縮径のテーパー状と成した２液混合硬化性樹脂の注入機を複数開発し出願しており（例えば、特許文献１参照）、この出願のものは、注入作業終了後における洗浄等の後処理を容易化することを主目的としたものである。
【先行技術文献】
【特許文献】
【０００３】
【特許文献１】特許第２７５０６６４号公報
【考案の概要】
【考案が解決しようとする課題】
【０００４】
しかし、上記従来技術にあっては、往復移動するのはミキシングヘッドを有する流路形成体だけで、該流路形成体より上流側は往復移動せず、具体的には、特許文献１の〔００３７〕及び図１〜３に示されている通り、注入機の供給バルブと流路形成体に設けた薬液供給口である取付部とを、接続パイプで連通接続し、又一対の供給バルブの夫々には薬液供給パイプと、定量供給機能を有するギヤポンプ、プランジャーポンプ、ダイヤフラムポンプ等の圧送ポンプを設けた供給バルブを開閉作動する圧縮空気供給パイプを夫々接続し、供給バルブの圧送ポンプで薬液を接続パイプへ送出する様に成っており、２種類の薬液は、薬液容器から薬液供給パイプ、供給バルブ、接続パイプを経て流路形成体を通過し、ミキシングヘッドからスタティックミキサ内に供給されることになる。
【０００５】
つまり、特許文献１のものは、流路形成体は可動状態であるのに対し、供給バルブは固定状態であるため、可撓性を有する接続パイプが必要で、而も流路全体が長くなってしまって、通過時の圧力損失が大きくなり、その結果供給量に極僅かであるが誤差が生じ易く、よって微量の薬液を混合し吐出させることを目的とした二液混合型注入機としては不向きであるなど、解決せねばならない課題があった。
【課題を解決するための手段】
【０００６】
本考案は、上記従来技術に基づく、２種類の薬液の流路の途中に可撓性を有するパイプが使用され、且つ流路全体が長い二液混合型注入機は、微量混合・注入用として使用し難い課題に鑑み、一対の縦型スクリューポンプの先端をヘッド部の上面に開口形成した挿入孔に挿設し、前記一対の縦型スクリューポンプの側部に供給路を開口形成し、該供給路に連通する送給路が穿設された一対の取付腕杆の基端部を前記一対の縦型スクリューポンプの側面に固設し、前記一対の取付腕杆の先端上面に、前記送給路に連通する取付孔を穿設し、該取付孔に２種類の薬液が別々に充填された一対の薬液容器を着脱可能に装着し、前記ヘッド部の下部にミキシングノズルを着脱可能に装着し、前記ヘッド部に、前記一対の縦型スクリューポンプからの薬液を前記ミキシングノズル内に送る流路を穿設し、薬液容器内の薬液が取付腕杆内の直線状の送給路を通って縦型スクリューポンプ内に供給され、該縦型スクリューポンプよりヘッド部内の流路を通ってミキシングノズル内に供給されることで、可撓性を有するパイプの無い短めの直線的な、圧力損失の無い流路が形成されることによって、微量混合・注入用として使用可能にして、上記課題を解決する。
【考案の効果】
【０００７】
要するに本考案は、一対の縦型スクリューポンプの先端をヘッド部の上面に開口形成した挿入孔に挿設し、前記一対の縦型スクリューポンプの側部に供給路を開口形成し、該供給路に連通する送給路が穿設された一対の取付腕杆の基端部を前記一対の縦型スクリューポンプの側面に固設し、前記一対の取付腕杆の先端上面に、前記送給路に連通する取付孔を穿設し、該取付孔に２種類の薬液が別々に充填された一対の薬液容器を着脱可能に装着し、前記ヘッド部の下部にミキシングノズルを着脱可能に装着し、前記ヘッド部に、前記一対の縦型スクリューポンプからの薬液を前記ミキシングノズル内に送る流路を穿設しているので、可撓性を有するパイプは不要で、薬液の流路は取付腕杆に穿たれた送給路と、ヘッド部に穿たれた流路に限られるために短くすることが出来、よって圧力損失が殆ど無い薬液の流路を形成することが出来、従って微量混合・注入用として使用することが出来る。
更に、前記一対の縦型スクリューポンプを正逆回転駆動可能にすれば、１回の供給が終了した時点で逆回転させて、ローターとステーター間のキャビティ内に薬液が完全に存在しない状態にすることが出来るため、バルブを使用せずに１回毎の供給量の正確性をより向上させることが出来る等その実用的効果甚だ大である。
【図面の簡単な説明】
【０００８】
【図１】本考案に係る微量用二液混合型注入機の正面図である。
【図２】図１の微量用二液混合型注入機の一部断面正面図の要部拡大図である。
【図３】図１の微量用二液混合型注入機における薬液定量供給部の斜視図である。
【図４（ａ）】図３の薬液定量供給部のヘッド部における本体部の平面斜視図である。
【図４（ｂ）】図３の薬液定量供給部のヘッド部における本体部の底面斜視図である。
【図５（ａ）】図３の薬液定量供給部のヘッド部における上部流路形成体の平面斜視図である。
【図５（ｂ）】図３の薬液定量供給部のヘッド部における上部流路形成体の底面斜視図である。
【図６】図３の薬液定量供給部のヘッド部における下部流路形成体の平面斜視図である。
【考案を実施するための形態】
【０００９】
以下本考案の一実施例を図面に基づいて説明する。
本考案に係る微量用二液混合型注入機にあっては、基本的に、薬液定量供給部１と、該薬液定量供給部１に対し交換可能に装着された薬液容器２、2aと、薬液定量供給部１の下部に着脱自在に装着したミキシングノズル３とを有している。
そして、薬液定量供給部１により、薬液容器２、2a内の２種類の薬液Ａ、Ｂを設定量毎にミキシングノズル３内に供給し、該ミキシングノズル３内で２種類の薬液Ａ、Ｂを均一に混合して、ミキシングノズル３の先端より混合液を吐出可能にしている。
【００１０】
薬液定量供給部１にあっては、一対の縦型スクリューポンプ４、4aと、該縦型スクリューポンプ４、4aを並列設置するヘッド部５とを有している。
【００１１】
一方の縦型スクリューポンプ４の側面に薬液Ａの供給路６が、他方の縦型スクリューポンプ4aの側面に薬液Ｂの供給路6aが開口形成され、これら供給路６、6aに連通する送給路７、7aが穿設さた薬液容器２、2aの取付腕杆８、8aの基端部を縦型スクリューポンプ４、4aの側面に固設し、該取付腕杆８、8aの長手方向に沿って形成された送給路７、7aを取付腕杆８、8aの基端面で開口させ、取付腕杆８、8aの先端上面に薬液容器２、2aの取付孔９、9aを穿設し、該取付孔９、9aと送給路７、7aとを連通させている。
【００１２】
ヘッド部５は、上面に一対の縦型スクリューポンプ４、4aの先端部位の挿入孔10、10a が穿設され、下面中央にミキシングノズル３の取付突部11を有し、挿入孔10、10a の先端面中央と取付突部11の先端で開口する流路12、12a が穿設されている。
【００１３】
取付突部７は、中間部位に螺子山部13を形成し、先端部位を先端側へ徐々に減径するテーパー部14を形成し、該テーパー部14で流路12、12a が開口している。
【００１４】
又、縦型スクリューポンプ４、4aの供給路６、6aは、ヘッド部５への差込部位に形成され、取付腕杆８、8aはヘッド部５の側部を貫通して外方へ突出している。
【００１５】
ミキシングノズル３は、射出成形機用のスタティックミキサで、小径パイプ内に、混合液を分離、混合、反転させるエレメントが挿設され、基端側にヘッド部５における取付突部７が嵌挿状態で、該取付突部７の螺子山部11に外嵌された取付ナット28により取付突部７に固定されている。
【００１６】
尚、ヘッド部５は、縦型スクリューポンプ４、4aの装着部15と、該装着部15の下部に固設された上部流路形成体16と、該上部流路形成体16の下部に固設された下部流路形成体17とを有し、装着部15は、並列状態の２個の貫通孔18、18a が縦貫形成され、該貫通孔18、18a の下方開口部を装着部15の下面に形成した嵌合凸部19、19a の中央に形成し、上部流路形成体16は、上面に嵌合凸部19、19a の嵌合凹部20、20a を形成し、該嵌合凹部20、20a の中央に縦型スクリューポンプ４、4aの先端の差込凹部21、21a を形成し、下面に下部流路形成体17の嵌込凹部22を形成し、差込凹部21、21a の中央及び嵌込凹部22で開口する孔23、23a を縦貫穿設し、該孔23、23a は、嵌込凹部22の底面に形成された溝24、24a の外端部で連通開口し、下部流路形成体17は、上部流路形成体16の嵌込凹部22への嵌込部25の下部に取付突部７が一体形成されており、嵌込部25の上面における上部流路形成体16側の溝24、24a と同位置に同一長さの溝26、26a を形成し、該溝26、26a の内端部より、取付突部７のテーパー部14で開口する孔27、27a を縦貫穿設している。
【００１７】
つまり、装着部15の貫通孔18、18a と上部流路形成体16の差込凹部21、21a で縦型スクリューポンプ４、4aの挿入孔10、10a が形成され、上部流路形成体16の孔23、23a が流路12、12a の上流部位となり、上部流路形成体16の溝24、24a と下部流路形成体17の溝26、26a で流路12、12a の中流部位が形成され、下部流路形成体17の孔27、27a が流路12、12a の下流部位となって、縦型スクリューポンプ４、4aから送出された薬液Ａ、Ｂをミキシングノズル３内に供給可能にしている。
【００１８】
又、図面上、薬液容器２、2aは、アダプターを介して取付腕杆８、8aに取り付けられているが、下部に取付孔９、9aへの装着手段を有する薬液容器２、2aであれば、取付腕杆８、8aに直接取り付けても良い。
【００１９】
又、本考案に係る微量用二液混合型注入機を実際に使用する場合、例えばロボットのアームの様な移動手段に取り付けられ、具体的には、図１に示す様に、移動手段側への取付板30の前面に取り付け、該取付板30の下部に薬液定量供給部１のヘッド部５を固定し、取付板30の上部両側のクランプ31、31a で薬液容器２、2aを固定している。
又、取付板30の両側部にセンサ32、32a を設け、該センサ32、32a の先端を薬液容器２、2aの下端より若干上方に指向させて、薬液容器２、2a内の薬液Ａ、Ｂが設定レベルに達した時点で警告可能にしている。
【００２０】
次に、本考案に係る微量用二液混合型注入機の作用について説明する。
薬液容器２、2aから２種類の薬液Ａ、Ｂが、夫々の設定圧力で縦型スクリューポンプ４、4a内に供給され、該縦型スクリューポンプ４、4aより送られた所定量の薬液Ａ、Ｂをミキシングノズル３内に供給し合流させ、ミキシングノズル３の先端側へ移動させながら分離、混合、反転させて徐々に混合し、均質化された混合液がミキシングノズル３の先端から吐出される。
【００２１】
その際に、薬液Ａ、Ｂは、薬液容器２、2aから取付腕杆８、8aの送給路７、7a、縦型スクリューポンプ４、4aの供給路６、6aを通過して縦型スクリューポンプ４、4a内に供給され、該縦型スクリューポンプ４、4aより所定量の薬液Ａ、Ｂが、ヘッド部５の流路12、12a を経てミキシングノズル３内に供給されるため、流路通過中に圧力損失が殆ど無い。
尚、縦型スクリューポンプ４、4aは、１回の供給が終了した時点で逆回転させて、ローターとステーター間のキャビティ内に薬液が完全に存在しない状態にすることで、バルブを使用せずに所定量を正確に供給することを可能にしている。
【００２２】
又、ヘッド部５を装着部15、上部流路形成体16及び下部流路形成体17で構成し、上部流路形成体16に孔23、23a 及び溝24、24a を、下部流路形成体17に溝26、26a 及び孔27、27a を形成することで、ヘッド部５に流路12、12a が形成されるため、該流路12、12a を一直線形状にしなくても、簡単に直線形状を組み合わせた屈曲形状にすることが可能になる。
【符号の説明】
【００２３】
２、2a    薬液容器
３        ミキシングノズル
４、4a    縦型スクリューポンプ
５        ヘッド部
６、6a    供給路
７、7a    送給路
８、8a    取付腕杆
９、9a    取付孔
10、10a   挿入孔
12、12a   流路
Ａ、Ｂ    薬液
【図１】
0003183377.tif 000003
【図２】
0003183377.tif 000004
【図３】
0003183377.tif 000005
【図４（ａ）】
0003183377.tif 000006
【図４（ｂ）】
0003183377.tif 000007
【図５（ａ）】
0003183377.tif 000008
【図５（ｂ）】
0003183377.tif 000009
【図６】
0003183377.tif 000010